(57)【要約】【目的】左右両側の天板材及び脚材がＭ字形状を維持しながら左右対称状に容易迅速に折り畳まれるようにした折り畳み式作業台を提供する。【解決手段】中央構造材１を挟んでその左右に天板材２，２を配置して、両天板材２，２の各一端部を中央構造材１に枢着し、各天板材２の他端部に脚材３を枢着すると共に、中央構造材１と各天板材２及び各脚材３との間に連動リンク機構４を介装し、中央構造材１を押し下げることによって、中央構造材１を中心に左右の天板材２，２及び脚材３，３が互いに同調して左右対称状に折り畳まれるようになっている。【選択図】        図４
2004190354.tif 000002
【特許請求の範囲】
【請求項１】
中央構造材を挟んでその左右に天板材を配置して、両天板材の各一端部を中央構造材に枢着し、各天板材の他端部に脚材を枢着すると共に、中央構造材と各天板材及び各脚材との間に連動リンク機構を介装し、中央構造材を押し下げることによって、この中央構造材を中心に左右の天板材及び脚材が互いに同調して左右対称状に折り畳まれるようになっている折り畳み式作業台。
【請求項２】
各天板材とこれに枢着された脚材との間に、この天板材と脚材とを直角位置に固定するためのブレースを折り畳み可能に介装してなる請求項１に記載の折り畳み式作業台。
【請求項３】
中央構造材と、この構造材を挟んで左右に配置する天板材との間に積極的に隙間を設けてなる請求項１又は２に記載の折り畳み式作業台。
【請求項４】
中央構造材は、前後一対のガイドポストと、両ガイドポストの上端部同士をつなぐポスト連結バーと、各ガイドポストに沿ってスライド可能なスライドシューと、両スライドシューをつなぐシュー連結バーとからなるもので、この中央構造材の各スライドシューの左右両側部に夫々突設したアームと、各アームの基端部と各天板材の一端部とを枢支連結する天板材側リンクと、各アームの先端部と各脚材の上端部とを枢支連結する脚材側リンクとによって、連動リンク機構を構成してなる請求項１〜３の何れかに記載の折り畳み式作業台。
【請求項５】
中央構造材のポスト連結バーとシュー連結バーとの間にスプリングを介装してなる請求項４に記載の折り畳み式作業台。
【請求項６】
中央構造材の前後両端部に、この中央構造材を押し下げ・引き上げ操作するための把手を設けてなる請求項１〜５の何れかに記載の折り畳み式作業台。
【請求項７】
中央構造材の各ガイドポストの下端部に転動子を軸着してなる請求項４〜６の何れかに記載の折り畳み式作業台。
【発明の詳細な説明】
【０００１】
【発明の属する技術分野】
本発明は、内装工事などに使用される作業台に関するもので、特に、天板部が左右方向中央部で屈曲して折り畳まれるようになっている折り畳み式作業台に関する。
【０００２】
【従来の技術】
従来この種の折り畳み式作業台は、左右一対の天板材を互いに突き合わせて、その突き合わせ端部同士を枢着すると共に、各天板材とこれに枢着された脚材との間に折り畳み用のリンク機構を介装してなるもので、天板材の突き合わせ端部を下方へ引き寄せることにより折り畳まれるようになっている（例えば、特許文献１参照）。
【０００３】
【特許文献１】
特許第２８９９７５１号公報（第５頁〜第７頁、図１〜図３）
【０００４】
【発明が解決しようとする課題】
上記従来の折り畳み式作業台では、作業台を折り畳む際に、左右の天板材及び脚材が左右対称状に折り畳まれず、左右何れか一方側の天板材及び脚材が他方側より先に屈折して、折り畳み中の作業台が横転するような状態となり、折り畳み操作が非常にやり難かった。
【０００５】
本発明は、上記のような課題に鑑み、左右両側の天板材及び脚材がＭ字形状を維持しながら左右対称状に容易且つ迅速に折り畳まれるようにした折り畳み式作業台を提供することを目的とする。
【０００６】
【課題を解決するための手段】
請求項１に係る発明の折り畳み式作業台は、中央構造材１を挟んでその左右に天板材２，２を配置して、両天板材２，２の各一端部を中央構造材１に枢着し、各天板材２の他端部に脚材３を枢着すると共に、中央構造材１と各天板材２及び各脚材３との間に連動リンク機構４を介装し、中央構造材１を押し下げることによって、この中央構造材１を中心に左右の天板材２，２及び脚材３，３が互いに同調して左右対称状に折り畳まれるようになっていることを特徴とする。
【０００７】
請求項２は、請求項１に記載の折り畳み式作業台において、各天板材２とこれに枢着された脚材３との間に、この天板材２と脚材３とを直角位置に固定するためのブレース５を折り畳み可能に介装してなることを特徴とする。
【０００８】
請求項３は、請求項１又は２に記載の折り畳み式作業台において、中央構造材１と、この構造材１を挟んで左右に配置する天板材２，２との間に積極的に隙間Ｓ，Ｓを設けてなることを特徴とする。
【０００９】
請求項４は、請求項１〜３の何れかに記載の折り畳み式作業台において、中央構造材１は、前後一対のガイドポスト６，６と、両ガイドポスト６，６の上端部同士をつなぐポスト連結バー７と、各ガイドポスト６に沿ってスライド可能なスライドシュー８，８と、両スライドシュー８，８をつなぐシュー連結バー９とからなるもので、この中央構造材１の各スライドシュー８の左右両側部に夫々突設したアーム１４と、各アーム１４の基端部と各天板材２の一端部とを枢支連結する天板材側リンク１９と、各アーム１４の先端部と各脚材３の上端部とを枢支連結する脚材側リンク２０とによって、連動リンク機構４を構成してなることを特徴とする。
【００１０】
請求項５は、請求項４に記載の折り畳み式作業台において、中央構造材１のポスト連結バー７とシュー連結バー９との間にスプリング１２を介装してなることを特徴とする。
【００１１】
請求項６は、請求項１〜５の何れかに記載の折り畳み式作業台において、中央構造材１の前後両端部に、この中央構造材１を押し下げ・引き上げ操作するための把手１３，１３を設けてなることを特徴とする。
【００１２】
請求項７は、請求項４〜６の何れかに記載の折り畳み式作業台において、中央構造材１の各ガイドポスト６の下端部に転動子１１を軸着してなることを特徴とする。
【００１３】
【発明の実施の形態】
図１の（Ａ）は本発明に係る折り畳み式作業台を示す正面図、（Ｂ）は同折り畳み式作業台の平面図であり、図２は図１の（Ａ）のイ−イ線拡大断面図、図３の（Ａ）は図１の（Ａ）の矢印ロで示す部分の拡大図であり、（Ｂ）は同部分の一部拡大平面図である。また、図４〜図７は、この折り畳み式作業台が図１に示す使用時の形態から折り畳まれてゆく過程を段階的に図示したものである。
【００１４】
この折り畳み式作業台は、中央構造材１を挟んでその左右に配置した天板材２，２の各一端部を中央構造材１に対し枢着し、各天板材２の他端部に脚材３を枢着すると共に、中央構造材１と各天板材２及びこれに枢着された脚材３との間に連動リンク機構４を介装し、しかして中央構造材１を押し下げることによって、この中央構造材１を中心に左右の天板材２，２及び脚材３，３が互いに同調して左右対称状に折り畳むことができるようにしたものである。また、各天板材２とこれに枢着された脚材３との間には、作業台使用位置において天板材２と脚材３とを直角位置に固定するためのブレース５が折り畳み可能に介装されている。
【００１５】
上記折り畳み式作業台の構造について更に詳しく説明すると、先ず、中央構造材１は、図２から分かるように、前後一対のガイドポスト６，６と、両ガイドポスト６，６の上端部同士をつなぐポスト連結バー７と、各ガイドポスト６に沿ってスライド可能なスライドシュー８と、両スライドシュー８，８をつなぐシュー連結バー９とからなるもので、各ガイドポスト６の下端部にはスライドシュー８の抜け止めとなる筒状のストッパー１０が外嵌固定され、このストッパー１０の下端側に車輪１１（転動子）が軸着され、またポスト連結バー７とシュー連結バー９との間にはその両端側に、作業台折り畳み時の衝撃を緩和するためのコイルスプリング１２が介装されている。
【００１６】
中央構造材１の前後両端部には、図２に示すように、この中央構造材１を押し下げ・引き上げ操作するための把手１３，１３が設けられ、各把手１３は、丸鋼材を側面視略Ｃ字状にプレス加工したもので、その上端部をポスト連結バー７の端面側に固定し、その下端部をガイドポスト６の下端部に固定している。また、スライドシュー８の左右両側部には、夫々アーム１４がガイドポスト６に対し垂直に突設されている。
【００１７】
図１、図３及び図４の（Ｂ）〜図７の（Ｂ）から分かるように、各天板材２の一端部にはその前後各側面部にブラケット１５が固着され、中央構造材１にはガイドポスト６の前後各端面にブラケット１６が固着され、しかして中央構造材１側のブラケット１６の左右両端部に左右両天板材２，２のブラケット１５，１５の夫々一端部がピン１７，１７によって枢着され、それにより左右両天板材２，２が中央構造材１に対し回転可能に連結されている。そして、特に図３の（Ｂ）に示すように、中央構造材１と、この中央構造材１を挟んで左右に配置された天板材２，２との間には、作業台を折り畳む際に指を挟むことがないように積極的に隙間Ｓ，Ｓが設けられている。作業台が使用状態にある時、この隙間Ｓの幅ｗは、中央構造材１の幅Ｗを４ｃｍとすれば、２ｃｍ程度に形成されるもので、この作業台使用時の幅ｗが最も狭く、従って折り畳み時にこの隙間Ｓに不注意で指を入れても、挟まれることがなくなり、使用上の安全を確保できる。
【００１８】
また、詳細な図示は省略するが、各天板材２の他端部に脚材３の上端部が枢着され、それにより天板材２と脚材３とが互いに回転可能となっている。各脚材３は、上部脚材３ａとこれに伸縮可能に連結された下部脚材３ｂからなるもので、脚長を調整できるようになっており、そして下部脚材３ｂの下端部にはキャスター１８が取り付けられている。尚、各天板材２は、面板状に形成されてもよいし、あるいは簀の子状（格子状）などに形成されてもよい。
【００１９】
連動リンク機構４は、図３ないし図４の（Ｂ）〜図７の（Ｂ）に示すように、中央構造材１の各スライドシュー８の左右両側部に夫々突設しされたアーム１４と、各アーム１４の基端部と各天板材２側のブラケット１５とを枢支連結する天板材側リンク１９と、各アーム１４の先端部と各脚材３の上部脚材３ａの上端部とを枢支連結する脚材側リンク２０とによって構成される。
【００２０】
また、天板材２と脚材３とを直角位置に固定するためのブレース５は、詳細な図示は省略するが、図１の（Ａ）、図４の（Ａ）〜図６の（Ａ）に示すように、一端部が各天板材２の一端側に枢着された第１部材５ａと、一端部が各脚材３の上部脚材３ａの下端部に枢着された第２部材５ｂと、両部材５ａ，５ｂの他端部同士が枢着された屈折部５ｃとからなるもので、図１の（Ａ）に示すように第１部材５ａと第２部材５ｂとが直線状に延びた状態で天板材２と脚材３とを直角に固定し、この状態から屈折部５ｃを引き上げるようにすることによって折り畳み可能な状態となる。
【００２１】
上記のように構成される折り畳み式作業台の折り畳み方法について説明する。図１の（Ａ）は、折り畳み式作業台の使用時の形態、即ち両脚材３，３が床面Ｆに対して垂直に起立し、中央構造材１を中心とする左右の天板材２，２が水平に位置した状態を示す。この状態では、各天板材２と脚材３とがブレース５によって直角に固定されており、従って中央構造材１を押し下げても、作業台が折り畳まれることはない。またこの時、中央構造材１のスライドシュー８は、図３に示すように、ガイドポスト６の下限位置に位置している。
【００２２】
この作業台を折り畳む時は、両ブレース５，５の屈折部５ｃ，５ｃを夫々引き上げながら中央構造材１を押し下げてゆくと、図４の（Ａ），（Ｂ）に示すように、左右の連動リンク機構４，４によって、中央構造材１が下動すると同時に、左右の天板材２，２及び脚材３，３が漸次正面視Ｍ字形状に折り畳まれてゆき、同時にまた中央構造材１のスライドシュー８がガイドポスト６の下限位置から上方へ移動を開始する。中央構造材１の押し下げ操作は、この中央構造材１の前後両端部に設けてある把手１３，１３を握ることによって容易に行なえる。
【００２３】
中央構造材１を更に押し下げると、図５の（Ａ），（Ｂ）及び図６の（Ａ），（Ｂ）に示すように、左右の連動リンク機構４，４によって、中央構造材１の下動に伴ってスライドシュー８がガイドポスト６に沿って上動しつつ、左右の天板材２，２及び脚材３，３が左右対称のＭ字形状を維持しながら更に折り畳まれ、しかして最終的に図７の（Ａ）及び（Ｂ）に示すように、スライドシュー８がガイドポスト６の上限位置に達した状態で、左右の天板材２，２及び脚材３，３が、互いに平行に折り重なると共に床面Ｆに対し垂直姿勢となって、完全に折り畳まれることになる。
【００２４】
上記のような折り畳み過程において、中央構造材１のガイドポスト６の下端部が床面Ｆに接近してきて、例えば左右両脚材３，３の下端部（キャスター１８）が瞬間的に床面Ｆに停止した状態で両脚材３，３の上端側が内側へ傾転するような時に、ガイドポスト６の下端部が床面Ｆに衝当して、ガイドポスト６の下端部及び又は床面Ｆを傷つけるような不都合を生じることがある。このような不都合な事態を回避する目的で、前記したようにガイドポスト６の下端部（ストッパー１０の下端側）に車輪１１（転動子）が軸着されており、従ってガイドポスト６の下端部が床面Ｆに当たった時は、車輪１１が床面Ｆ上で転動する状態となるから、ガイドポスト６の下端部及び又は床面Ｆを傷つけるようなことがない。
【００２５】
図７の（Ａ）及び（Ｂ）に示す状態に折り畳んだ折り畳み式作業台を使用状態に戻すには、中央構造材１の前後端部にある把手１３，１３を掴んで中央構造材１を引き上げれば、左右の天板材２，２及び脚材３，３が上述した折り畳み過程（図４→図５→図６）とは逆の過程（図６→図５→図４）を経て、図１に示すような使用状態となる。
【００２６】
この発明に係る折り畳み式作業台の最大の特徴は、上述のように、中央構造材１を押し下げることによって、連動リンク機構４の作用により、中央構造材１を中心に左右の天板材２，２及び脚材３，３が互いに同調して左右対称状のＭ字形状を維持しながら折り畳まれるようになっていることにある。このように左右の天板材２，２及び脚材３，３が同調して左右対称状に折り畳まれるから、折り畳み中に作業台が横転するようなことがなく、その折り畳み操作を容易且つ迅速に行なうことができる。
【００２７】
また上記実施形態のように、中央構造材１を、前後一対のガイドポスト６，６と、両ガイドポスト６，６の上端部同士をつなぐポスト連結バー７と、各ガイドポスト６に沿ってスライド可能なスライドシュー８，８と、両スライドシュー８，８をつなぐシュー連結バー９とから構成し、この中央構造材１の各スライドシュー８の左右両側部に夫々突設したアーム１４と、各アーム１４の基端部と各天板材２の一端部とを枢支連結する天板材側リンク１９と、各アーム１４の先端部と各脚材３の上端部とを枢支連結する脚材側リンク２０とによって連動リンク機構４を構成するようにすれば、折り畳み式作業台の構造が簡単で製作が容易となると共に、折り畳み動作をより有効に行なわせることができる。
【００２８】
また、中央構造材１のポスト連結バー７とシュー連結バー９との間にスプリング１２が介装されているから、作業台折り畳み時にスライドシュー８がポスト連結バー７やストッパー１０に衝当する時などの衝撃を緩和し、金属音の発生を抑制することができる。
【００２９】
【発明の効果】
請求項１に係る発明の折り畳み式作業台によれば、折り畳み時には、中央構造材を押し下げると、連動リンク機構の作用によって、中央構造材を中心に左右の天板材及び脚材が互いに同調して左右対称状のＭ字形状を維持しながら折り畳まれるから、折り畳み中に作業台が横転するようなことがなく、その折り畳み操作を容易且つ迅速に行なうことができる。
【００３０】
請求項２に係る発明の折り畳み式作業台のように、各天板材とこれに枢着された脚材との間にブレースを折り畳み可能に介装することにより、作業台の使用時には各天板材とこれに枢着された脚材とを直角位置に固定することができる。
【００３１】
請求項３に係る発明の折り畳み式作業台のように、中央構造材と、この構造材を挟んで左右に配置する天板材との間に積極的に隙間を設けたことにより、作業台を折り畳む際にその隙間に不注意で指を入れても、挟まれることがなくなり、使用上の安全が確保される。
【００３２】
請求項４に係る発明の折り畳み式作業台のように、中央構造材を、前後一対のガイドポストと、両ガイドポストの上端部同士をつなぐポスト連結バーと、各ガイドポストに沿ってスライド可能なスライドシューと、両スライドシューをつなぐシュー連結バーとによって構成し、この中央構造材の各スライドシューの左右両側部に夫々突設したアームと、各アームの基端部と各天板材の一端部とを枢支連結する天板材側リンクと、各アームの先端部と各脚材の上端部とを枢支連結する脚材側リンクとによって、連動リンク機構を構成すれば、折り畳み式作業台の構造が簡単で製作が容易となり、また折り畳み動作をより有効に行なわせることができる。
【００３３】
請求項５に係る発明の折り畳み式作業台のように、中央構造材のポスト連結バーとシュー連結バーとの間にスプリングを介装すれば、作業台折り畳み時の衝撃を緩和し、金属音の発生を抑制することができる。
【００３４】
請求項６に係る発明の折り畳み式作業台のように、中央構造材の前後両端部に把手を設けることによって、中央構造材の押し下げ・引き上げ操作を容易に行うことができる。
【００３５】
請求項７に係る発明の折り畳み式作業台のように、中央構造材の各ガイドポストの下端部に転動子を軸着しておけば、ガイドポストの下端部が床面に当たった時には、車輪が床面上で転動可能な状態となるから、ガイドポストの下端部及び又は床面を傷つけるようなことがない。
【図面の簡単な説明】
【図１】（Ａ）は本発明に係る折り畳み式作業台を示す正面図、（Ｂ）は同折り畳み式作業台の平面図である。
【図２】図１の（Ａ）のイ−イ線拡大断面図である。
【図３】（Ａ）は図１の（Ａ）の矢印ロで示す部分の拡大図、（Ｂ）は同部分の一部拡大平面図である。
【図４】（Ａ）は折り畳み式作業台が折り畳まれてゆく初期の過程を示す正面図、（Ｂ）は（Ａ）の矢印ハで示す部分の拡大図である。
【図５】（Ａ）は折り畳み式作業台が更に折り畳まれてゆく過程を示す正面図、（Ｂ）は（Ａ）の矢印ニで示す部分の拡大図である。
【図６】（Ａ）は折り畳み式作業台が更に折り畳まれてゆく過程を示す正面図、（Ｂ）は（Ａ）の矢印ホで示す部分の拡大図である。
【図７】（Ａ）は折り畳み式作業台が折り畳まれた最終形態を示す正面図、（Ｂ）は（Ａ）の矢印ヘで示す部分の拡大図である。
【符号の説明】
１              中央構造材
２              天板材
３              脚材
４              連動リンク機構
５              ブレース
６              ガイドポスト
７              ポスト連結バー
８              スライドシュー
９              シュー連結バー
１１            車輪（転動子）
１２            スプリング
１３            把手
１４            アーム
１９            天板材側リンク
２０            脚材側リンク
【図１】
2004190354.tif 000003
【図２】
2004190354.tif 000004
【図３】
2004190354.tif 000005
【図４】
2004190354.tif 000006
【図５】
2004190354.tif 000007
【図６】
2004190354.tif 000008
【図７】
2004190354.tif 000009